【手続補正書】
【提出日】平成22年7月2日(2010.7.2)
【手続補正１】
【補正対象書類名】特許請求の範囲
【補正対象項目名】全文
【補正方法】変更
【補正の内容】
【特許請求の範囲】
【請求項１】
ケーシング内に収納され、光学像を撮像素子に導く撮像レンズと、前記光学像を光電変換して画像信号を出力する前記撮像素子と、を備えた撮像装置において、
前記撮像レンズを介して入射する入射光の光軸に対して前記撮像素子の傾きを調整するあおり調整機構を備え、
前記あおり調整機構が、
前記撮像素子を支持する支持部材と、
前記光軸の周囲に沿って離散的に配置されて、前記光軸方向に沿って前記支持部材に弾接する複数の付勢部材と、
前記複数の付勢部材と一対に備えられ、軸部が前記支持部材及び前記付勢部材を貫通し、該軸部の一端が前記支持部材に係合すると共に、該軸部の他端が前記ケーシングに螺合し、螺合に伴って、前記光軸方向にスライドして前記支持部材を傾動させる回転部材と、
によって構成されている、
ことを特徴とする撮像装置。
【請求項２】
前記支持部材に対向する向きに配設されて前記ケーシングに固定された固定部材を備え、
前記光軸方向に沿って、前記支持部材が前記固定部材を介して前記撮像レンズの反対側に配置されると共に、前記付勢部材が前記固定部材と前記支持部材との間に配置され、
前記固定部材には、前記回転部材の軸部が螺合する螺合孔が設けられ、
前記回転部材が前記固定部材を介して前記ケーシングに螺合し、
前記支持部材が前記回転部材によって前記固定部材に支持されている、
ことを特徴とする請求項１に記載の撮像装置。
【請求項３】
前記複数の付勢部材及び前記回転部材が、
前記光軸を中心とする三角形の頂点を構成する位置に備えられていると共に、前記光軸を中心とする同心円上に備えられて、
該複数の付勢部材及び前記回転部材が、夫々、等間隔で配置されている、
ことを特徴とする請求項１又は請求項２に記載の撮像装置。
【請求項４】
前記付勢部材が、前記回転部材の軸部の周囲に沿って巻き付けられた圧縮コイルばねであって、その一端が前記支持部材に当接すると共に他端が前記固定部材に当接するように構成されている、
ことを特徴とする請求項１乃至請求項３の何れか記載の撮像装置。
【手続補正２】
【補正対象書類名】明細書
【補正対象項目名】００１３
【補正方法】変更
【補正の内容】
【００１３】
請求項１に記載の撮像装置によれば、あおり調整機構が、撮像素子を支持する支持部材と、光軸の周囲に沿って離散的に配置されて、光軸方向に沿って支持部材に弾接する複数の付勢部材と、複数の付勢部材と一対に備えられ、軸部が支持部材及び付勢部材を貫通し、軸部の一端が前記支持部材に係合すると共に、軸部の他端がケーシングに螺合し、螺合に伴って、光軸方向にスライドして支持部材を傾動させる回転部材と、によって構成されているので、光軸方向に対する撮像素子の傾きを簡素な構成で精度良く調整できると共に、光軸方向に撮像素子に重なるスペースに他の部品を配置する際に、その調整機構による制約を低減でき、生産性を良好に維持できる。つまり、回転部材を回転させることにより、支持部材と一体に撮像素子を傾動させてあおり調整を行うことができる。その際に、複数の支持部材及び付勢部材が光軸の周囲に沿って離散的に配置されて、回転部材の周囲に回転部材と対になるように付勢部材が配置されているので、あおり調整を精度良く調整できる。
【手続補正３】
【補正対象書類名】明細書
【補正対象項目名】００１６
【補正方法】変更
【補正の内容】
【００１６】
次に、請求項１又は請求項２に記載の撮像装置は、請求項３に記載の発明のように、前記複数の付勢部材及び前記回転部材が、前記光軸を中心とする三角形の頂点を構成する位置に備えられていると共に、前記光軸を中心とする同心円上に備えられて、該複数の付勢部材及び前記回転部材が、夫々、等間隔で配置されている、ことが好ましい。
【手続補正４】
【補正対象書類名】明細書
【補正対象項目名】００１７
【補正方法】変更
【補正の内容】
【００１７】
これにより、光軸を基点とする各方向の傾きに対してバランス良くあおり調整できる。また、あおり調整の後には、光軸を中心とする三角形の頂点をなす３つの付勢部材及び回転部材を介して支持部材が固定部材に係止されるので、これらの係止及び固定が安定したものになる。また、付勢部材及び回転部材が、光軸を中心とする同心円上に略等間隔で３箇所備えられているので、光軸を基点とする各方向の傾きに対してバランス良く、あおり調整を行うことができる。
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】削除
【補正の内容】
【手続補正９】
【補正対象書類名】明細書
【補正対象項目名】００２２
【補正方法】変更
【補正の内容】
【００２２】
次に、請求項１乃至請求項３の何れか記載の撮像装置は、請求項４に記載の発明のように、付勢部材が、前記回転部材の軸部の周囲に沿って巻き付けられた圧縮コイルばねであって、その一端が前記支持部材に当接すると共に他端が前記固定部材に当接するように構成されていることが好ましい。
【手続補正１０】
【補正対象書類名】明細書
【補正対象項目名】００２６
【補正方法】変更
【補正の内容】
【００２６】
また、本発明の撮像装置は、複数の付勢部材及び前記回転部材を、光軸を中心とする三角形の頂点を構成する位置に備えたり、光軸を中心とする同心円上に等間隔で３箇所備えたりすることにより、光軸を基点とする各方向の傾きに対してバランス良く容易にあおり調整を行うことができ、あおり調整の後には、固定部材に対して支持部材の固定が安定したものになる。
【手続補正１１】
【補正対象書類名】明細書
【補正対象項目名】００３１
【補正方法】変更
【補正の内容】
【００３１】
また、撮像装置１００には、ケーシング１ａ、１ｂ、１ｃの外側に、撮像素子８と一体に接続された第一のセンサボード９、ケーシング１ｃの光軸方向端面に固定され、撮像素子８及び第一のセンサボード９が挿通する挿通孔が形成された固定部材１２、撮像素子８から出力される画像信号を回路基板１４に中継する第二のセンサボード１１、当該撮像装置１００の動作を制御する回路が搭載された回路基板１４、回路基板１４を載置してケーシング１ａ、１ｃに固定された基板支持部材１５ａ及び１５ｂ等が備えられている。
【手続補正１２】
【補正対象書類名】明細書
【補正対象項目名】００３５
【補正方法】変更
【補正の内容】
【００３５】
光学ローパスフィルタ６は、縁端部がケーシング１ｃと弾性体から成るフィルタスペーサ７とによって挟着され、ケーシング１ｃに支持されている。フィルタスペーサ７は、光学ローパスフィルタ６と撮像素子８の縁端部に弾接して光学ローパスフィルタ６をケーシング１ｃに保持するとともに、入射光の漏洩を防止するように構成されている。
【手続補正１３】
【補正対象書類名】明細書
【補正対象項目名】００３８
【補正方法】変更
【補正の内容】
【００３８】
回路基板１４は、基板支持部材１５ａ及び１５ｂに載置され、基板支持部材１５ａ及び１５ｂを介してケーシング１ａ、１ｃに固定されている。また、第二のセンサボード１１の一端が回路基板１４に接続されて、撮像素子８から出力された画像信号が回路基板１４上の回路に接続されている。また、回路基板１４には、撮像素子８から出力される画像信号の処理や、ズームレンズ３、光量調整ユニット４、フォーカスレンズ５等の動作制御を行うための回路が構成されている。
【手続補正１４】
【補正対象書類名】明細書
【補正対象項目名】００４０
【補正方法】変更
【補正の内容】
【００４０】
あおり調整機構は、第一のセンサボード９を介して撮像素子８を支持する支持部材１０と、光軸の周囲に沿って離散的に配置されて、光軸方向に沿って支持部材１０に弾接する３つの付勢部材２０ａ、２０ｂ、２０ｃと、付勢部材２０ａ、２０ｂ、２０ｃと一対に備えられた回転部材１３ａ、１３ｂ、１３ｃと、によって構成されている。
【手続補正１５】
【補正対象書類名】明細書
【補正対象項目名】００４１
【補正方法】変更
【補正の内容】
【００４１】
回転部材１３ａ、１３ｂ、１３ｃは、軸部が支持部材１０及び付勢部材２０ａ、２０ｂ、２０ｃを貫通し、軸部の一端が支持部材１０に係合すると共に、軸部の他端がケーシング１ｃに一体に固定された固定部材１２に螺合し、螺合に伴って、光軸方向にスライドして支持部材１０を傾動させるように構成されている。
【手続補正１６】
【補正対象書類名】明細書
【補正対象項目名】００５３
【補正方法】変更
【補正の内容】
【００５３】
また、チャートには、画面中心と複数の回転部材１３ａ、１３ｂ、１３ｃの夫々とに対応付する位置に焦点合わせのための撮像模様を形成しておき、まず、フォーカスレンズ５を光軸方向にスライドさせて画面中心の撮像模様が合焦する位置にフォーカスレンズ５を設置し、その後、回転部材１３ａ、１３ｂ、１３ｃに対応付けられた各撮像模様が合焦するように、順次、回転部材１３ａ、１３ｂ、１３ｃを回転させて調整するとよい。また、合焦度を調整する際には、撮像された光学像のＭＴＦ（Ｍｏｄｕｌａｔｉｏｎ  Ｔｒａｎｓｆｅｒ  Ｆｎｎｃｔｉｏｎ）を計測するとよい。この際、回転部材１３ａ、１３ｂ、１３ｃの回転に伴うＭＴＦの変化を計測し、所定の空間周波数におけるＭＴＦ（合焦度）が最大となるように、撮像素子の傾きを設定する。
【手続補正１７】
【補正対象書類名】明細書
【補正対象項目名】００５４
【補正方法】変更
【補正の内容】
【００５４】
以上のように、本実施例に記載の撮像装置は、あおり調整機構が、撮像素子８を支持する支持部材１０と、光軸の周囲に沿って離散的に配置されて、光軸方向に沿って支持部材１０に弾接する複数の付勢部材２０ａ、２０ｂ、２０ｃと、複数の付勢部材２０ａ、２０ｂ、２０ｃと一対に備えられ、軸部が支持部材１０及び付勢部材２０ａ、２０ｂ、２０ｃを貫通し、軸部の一端が支持板１０に係合すると共に、軸部の他端が固定板１２を介してケーシング１ｃに螺合し、螺合に伴って、光軸方向にスライドして支持部材１０を傾動させる回転部材１３ａ、１３ｂ、１３ｃと、によって構成されているので、光軸方向に対する撮像素子８の傾きを簡素な構成で精度良く調整できると共に、光軸方向に撮像素子８に重なるスペースに他の部品を配置する際に、その調整機構によって制約を低減でき、生産性を良好に維持できる。
【手続補正１８】
【補正対象書類名】明細書
【補正対象項目名】００５９
【補正方法】削除
【補正の内容】